【事件の表示】
　特許第２９６６４５８号「自動合焦装置」の請求項１ないし３に係る特許に対する特許異議の申立てについて、次のとおり決定する。
【結　論】
　訂正を認める。
　特許第２９６６４５８号の請求項１ないし３に係る特許を維持する。
【理　由】
第１　手続の経緯
　本件に係る特許第２９６６４５８号の特許請求の範囲（請求項の数３）に記載された発明は、平成２年１月２６日に出願され、平成１１年８月１３日にその特許の設定登録がなされ、その後、特許異議の申立がなされ、取消理由通知がなされ、その指定期間内である平成１２年１０月２７日に訂正請求がなされたものである。
　
第２　訂正の適否について
　１　訂正明細書に係る発明
　　訂正明細書に係る発明は、その特許請求の範囲（請求項の数３）に記載された次に掲げるとおりのものである。以下、【請求項１】に記載された発明を「本件訂正発明」という。
「【請求項１】レンズと、
　撮像素子と、
　該撮像素子から出力された映像信号をディジタル信号に変換するA/D変換器と、
　該A/D変換手段より出力されたディジタル信号から所定帯域の周波数を通過させ、かつ通過周波数帯域を変化可能なBPFと、
　該BPFから出力された高周波数成分信号を積分することにより焦点電圧信号を検出する焦点電圧検出回路と、
　第1の通過周波数帯城に設定された前記BPFから出力され、かつ、該焦点電圧検出回路から出力された焦点電圧信号を演算することにより合焦方向に前記レンズを移動させるように制御する演算制御回路とを有し、
　前記演算制御回路は、前記第1の通過周波数帯域より高い第2の通過周波数帯域に設定された前記BPFから出力され、かつ、前記焦点電圧検出回路から出力された焦点電圧信号のレベルを判定することにより、前記レンズを移動させる制御に使用する信号を検波する前記BPFの通過周波数帯域を前記第1の通過周波数帯域から前記第2の通過周波数帯域に変化させ、前記焦点電圧信号のレベル判定に使用する信号を検波する前記BPFの通過周波数帯域を前記第2の通過周波数帯域から前記第2の通過周波数帯域より高い周波数帯域の第3の通過周波数帯域に変化させることを特徴とする自動合焦装置
【請求項２】前記焦点電圧検出回路は、
　前記BPFから出力された高周波成分信号から所定の領域の信号を抜き取るゲート回路と、
　該ゲート回路の出力信号を絶対値化する検波回路と、
　該検波回路の出力信号を１フィールド毎に積分する積分回路とを有し、
　１フィールド毎に変化する焦点電圧信号を検出することを特徴とする請求項１に記載の自動合焦装置
【請求項３】前記演算制御回路は、
　基準周波数を検出する基準周波数検出回路と、
　該基準周波数検出回路で検出された基準周波数成分の位相から前記レンズの移動方向を定める方向検出回路と、
　該基準周波数検出回路で検出された基準周波数成分の振幅から前記レンズの移動と停止を制御する合焦検出回路と、
　該方向検出回路と該合焦検出回路から出力された信号により、前記レンズを移動させるモータを制御するモータ制御回路と、
　前記焦点電圧検出回路から出力された焦点電圧信号のレベルと所定のレベル電圧信号を比較するレベル判定回路と、
　該レベル判定回路の結果に基づいて前記BPFの通過周波数帯域を制御する制御信号を前記BPFに供給するBPF制御回路と、
　を有することを特徴とする請求項１又は２に記載の自動合焦装置」
　２　訂正の要旨の適否
　　上記訂正は、次に掲げる(1)(2)とするものである。
　　(1)訂正事項a
　　　願書に添付した明細書の特許請求の範囲の請求項1に係る記載の
「該焦点電圧検出回路から出力された焦点電圧信号を演算することにより合焦方向に前記レンズを移動させるように制御する演算制御回路とを有し、」を、
特許請求の範囲の減縮を目的として、
「第1の通過周波数帯域に設定された前記BPFから出力され、かつ、該焦点電圧検出回路から出力された焦点電圧信号を演算することにより合焦方向に前記　レンズを移動させるように制御する演算制御回路とを有し、」と訂正する。
　　(2)訂正事項b
　　　願書に添付した明細書の特許請求の範囲の請求項1に係る記載の
「前記演算制御回路は、前記焦点電圧検出回路から出力された焦点電圧信号のレベルを判定することにより、前記BPFの通過周波数帯域を変化させることを特徴とする自動合焦装置」を、
特許請求の範囲の減縮を目的として、
「前記演算制御回路は、前記第1の通過周波数帯域より高い第2の通過周波数帯城に設定された前記BPFから出力され、かつ、前記焦点電圧検出回路から出力された焦点電圧信号のレベルを判定することにより、前記レンズを移動させる制御に使用する信号を検波する前記BPFの通過周波数帯域を前記第1の通過周波数帯域から前記第2の通過周波数帯域に変化させ、前記焦点電圧信号のレベル判定に使用する信号を検波する前記BPFの通過周波数帯域を前記第2の通過周波数帯域から前記第2の通過周波数帯域より高い周波数帯城の第3の通過周波数帯域に変化させることを特徴とする自動合焦装置」と訂正する。
　３　訂正の適否についての結論
　　上記訂正請求は、特許法第１２０条の４第２項第１号に規定する特許請求の範囲の減縮を目的とするものであり、同条の４第３項で準用する同法第１２６条第２項、第３項の規定に適合するので、上記訂正を認める。
第３　刊行物発明、及び、本件訂正発明と刊行物発明との対比・検討
　１　刊行物発明
　　当審の取消理由で引用した刊行物は次に掲げるとおりである。
　　刊行物１：特開平１−３０７３７４号公報(異議申立人が提出した甲第１号証)
　　刊行物２：特開昭６２−２０３４８５号公報(異議申立人が提出した甲第２号証)
　　刊行物３：特開昭６０−１４３０６８号公報(異議申立人が提出した甲第３号証)
　　刊行物４：特開平２−７７７７号公報(異議申立人が提出した参考資料１)
　　(1)　刊行物１の発明
　　刊行物１には、本件訂正発明との対比において、次に掲げる発明が記載されている。
「撮像素子から出力された映像信号をディジタル信号に変換するA/D変換器と、
　該A/D変換手段より出力されたディジタル信号から所定帯域の周波数を通過させ、かつ通過周波数帯域を変化可能なBPFと、
　該BPFから出力された高周波数成分信号により焦点電圧信号を検出する焦点電圧検出回路と、
　該焦点電圧検出回路から出力された焦点電圧信号を演算することにより合焦方向に前記レンズを移動させるように制御する演算制御回路とを有し、
　前記演算制御回路は、前記焦点電圧検出回路から出力された焦点電圧信号のレベルを判定することにより、前記BPFの通過周波数帯域を変化させることを特徴とする自動合焦装置」
　　(2)　刊行物２の発明
　　刊行物２には、本件訂正発明との対比において、本件図面第８，９図に示された従来の自動合焦装置が記載され、特に、高周波数成分信号を積分する積分回路を用いることが記載されている。
　　(3)　刊行物３の発明
　　刊行物３には、本件訂正発明との対比において、本件図面第１０，１１図に示された従来の自動合焦装置が記載されている。
　　(4)　刊行物４の発明
　　刊行物４には、本件訂正発明との対比において、本件図面第８，９図に示された従来の自動合焦装置が記載され、特に、高周波数成分信号を１フィールド毎に積分する積分回路を用いることが記載されている。
　２　本件訂正発明と刊行物発明との対比・検討
　　本件訂正発明と刊行物１ないし４の発明とを対比・検討すると、刊行物１ないし４の発明は、本件訂正発明おける次に掲げる主要事項を具備していないし、刊行物１ないし４には、この主要事項を示唆する記載もなされていない。
「第1の通過周波数帯域より高い第2の通過周波数帯域に設定されたBPFから出力され、かつ、焦点電圧検出回路から出力された焦点電圧信号のレベルを判定することにより、レンズを移動させる制御に使用する信号を検波するBPFの通過周波数帯域を第1の通過周波数帯域から第2の通過周波数帯域に変化させ、
　焦点電圧信号のレベル判定に使用する信号を検波するBPFの通過周波数帯域を第2の通過周波数帯域から第2の通過周波数帯域より高い周波数帯域の第3の通過周波数帯域に変化させる演算制御回路」
　そして、上記主要事項により、本件訂正発明は「高域成分抽出用BPFの通過帯域を、合焦具合に応じて変えることができるので、高い合焦精度と、広い引き込み範囲を合わせ持つ、高性能な自動合焦動作が得られる効果がある。また、高域成分抽出用BPFをデジタル回路にて構成しているため、LSI化が容易で、小型，低価格，高性能な自動合焦装置を実現できる。」という効果を奏するものである。
　したがって、本件訂正発明は、刊行物１ないし４の発明に基いて当業者が容易に発明をすることができたものとは認められない。
　また、請求項２，３に記載された発明は、本件訂正発明を引用するものであるから、刊行物１ないし４の発明に基いて当業者が容易に発明をすることができたものとは認められない。
　
第４　特許異議の申立の理由の概要
　特許異議申立人は、本件訂正前の発明は、甲第１ないし３号証及び参考資料１（取消理由で引用した刊行物１ないし４と同じ）に記載された発明に基いて容易に発明をすることができたものであるから、本件訂正前の発明に係る特許は、特許法第２９条第２項の規定に違反してなされたもので、この特許は取り消すべきものである旨主張している。
　しかし、甲第１ないし３号証及び参考資料１は、取消理由で引用した刊行物１ないし４であるから、上記第３で対比・検討したとおり、本件訂正発明及び請求項２，３に記載された発明は、甲第１ないし３号証及び参考資料１に記載された発明に基いて容易に発明をすることができたものとは認められない。
　
第５　むすび
　以上のとおり、本件訂正発明及び請求項２，３に記載された発明は、刊行物１ないし４の発明に基いて当業者が容易に発明をすることができたものとは認められない。
　また、他に本件訂正発明に係る特許を取り消すべき理由を発見しない。
　よって、結論のとおり決定する。
【異議決定日】
平成１２年１１月１６日（２０００．１１．１６）
【訂正の要旨】
　次に掲げる訂正１，２を認める。
１　訂正事項ａ
　願書に添付した明細書の特許請求の範囲の請求項１に係る記載の
「該焦点電圧検出回路から出力された焦点電圧信号を演算することにより合焦方向に前記レンズを移動させるように制御する演算制御回路とを有し、」を、
特許請求の範囲の減縮を目的として、
「第１の通過周波数帯域に設定された前記ＢＰＦから出力され、かつ、該焦点電圧検出回路から出力された焦点電圧信号を演算することにより合焦方向に前記　レンズを移動させるように制御する演算制御回路とを有し、」
との訂正
２　訂正事項ｂ
　願書に添付した明細書の特許請求の範囲の請求項１に係る記載の
「前記演算制御回路は、前記焦点電圧検出回路から出力された焦点電圧信号のレベルを判定することにより、前記ＢＰＦの通過周波数帯域を変化させることを特徴とする自動合焦装置。」を、
特許請求の範囲の減縮を目的として、
「前記演算制御回路は、前記第１の通過周波数帯域より高い第２の通過周波数帯城に設定された前記ＢＰＦから出力され、かつ、前記焦点電圧検出回路から出力された焦点電圧信号のレベルを判定することにより、前記レンズを移動させる制御に使用する信号を検波する前記ＢＰＦの通過周波数帯域を前記第１の通過周波数帯域から前記第２の通過周波数帯域に変化させ、前記焦点電圧信号のレベル判定に使用する信号を検波する前記ＢＰＦの通過周波数帯域を前記第２の通過周波数帯域から前記第２の通過周波数帯域より高い周波数帯城の第３の通過周波数帯域に変化させることを特徴とする自動合焦装置。」
との訂正
（５４）【発明の名称】
自動合焦装置
（５７）【特許請求の範囲】
　【請求項１】レンズと、
撮像素子と、
該撮像素子から出力された映像信号をディジタル信号に変換するＡ／Ｄ変換器と、該Ａ／Ｄ変換手段より出力されたディジタル信号から所定帯域の周波数を通過させ、かつ通過周波数帯域を変化可能なＢＰＦと、
該ＢＰＦから出力された高周波数成分信号を積分することにより焦点電圧信号を検出する焦点電圧検出回路と、
第１の通過周波数帯域に設定された前記ＢＰＦから出力され、かつ、
前記演算制御回路は、
前記第１の通過周波数帯域より高い第２の通過周波数帯域に設定された前記ＢＰＦから出力され、かつ、
前記レンズを移動させる制御に使用する信号を検波する
前記第１の通過周波数帯域から前記第２の通過周波数帯域に
、前記焦点電圧信号のレベル判定に使用する信号を検波する前記ＢＰＦの通過周波数帯域を前記第２の通過周波数帯域から前記第２の通過周波数帯域より高い周波数帯域の第３の通過周波数帯域に変化させる
　【請求項２】前記焦点電圧検出回路は、
前記ＢＰＦから出力された高周波成分信号から所定の領域の信号を抜き取るゲート回路と、
該ゲート回路の出力信号を絶対値化する検波回路と、
該検波回路の出力信号を１フィールド毎に積分する積分回路とを有し、
１フィールド毎に変化する焦点電圧信号を検出することを特徴とする請求項１に記載の自動合焦装置。
　【請求項３】前記演算制御回路は、
基準周波数を検出する基準周波数検出回路と、
該基準周波数検出回路で検出された基準周波数成分の位相から前記レンズの移動方向を定める方向検出回路と、
該基準周波数検出回路で検出された基準周波数成分の振幅から前記レンズの移動と停止を制御する合焦検出回路と、
該方向検出回路と該合焦検出回路から出力された信号により、前記レンズを移動させるモータを制御するモータ制御回路と、
前記焦点電圧検出回路から出力された焦点電圧信号のレベルと所定のレベル電圧信号を比較するレベル判定回路と、
該レベル判定回路の結果に基づいて前記ＢＰＦの通過周波数帯域を制御する制御信号を前記ＢＰＦに供給するＢＰＦ制御回路と、
を有することを特徴とする請求項１又は２に記載の自動合焦装置。
【発明の詳細な説明】
〔産業上の利用分野〕
　本発明は、ビデオムービー等に好適な自動合焦装置に関する。
〔従来の技術〕
　映像信号の高域周波数成分（焦点電圧）が最大となるようレンズを移動してピントを自動的に合わせる、映像検出方式オートフォーカス装置の一例として、特開昭５８−１８８９６５号公報が挙げられる。
　図８は、前記従来例を説明する図で、１はレンズ、２は撮像素子、３はカメラ回路である。レンズ１を通過した光は、撮像素子２により電気信号に変換され、カメラ回路３から映像信号として出力される。なお、基準周波数ｆｍ発生回路５３により生成された基準周波数ｆｍは、モータ駆動回路５６に供給され、レンズ１の光路長を目で検知できない程度、モータ５７を微変動させる。したがって、前記映像信号の高周波成分は、基準周波数ｆｍで振幅変調される。ＢＰＦ５０により、上記映像信号から、高周波成分を抽出し、ピーク検出回路５１において、１フィールド間のピーク値が検出され、１フィールド毎に合焦具合に応じた信号が出力される。（以下、焦点電圧と記す。）基準周波数ｆｍ検出回路５２において、上記焦点電圧から、基準周波数ｆｍを検出し、該検出した基準周波数ｆｍと、基準周波数ｆｍ発生回路５３から供給された信号とを、位相比較回路５４において位相比較することにより、焦点整合装置の移動方向を定める信号を、モータ駆動回路５６に供給し、映像信号の高周波成分が最大となるようにモータ５７を駆動する。
　次に、モータ５７の駆動方向について、第９図により説明する。第９図において、横軸はレンズ１の焦点整合装置の位置を示し、縦軸は焦点電圧レベルを示している。本図に示すように、焦点電圧の特性は、合焦点を頂点とする、ほぼ左右対称な山特性となる。したがって、レンズ１の焦点整合装置が、合焦点に対して至近側にある場合と、∞側にある場合では、前記基準周波数ｆｍによるモータ５７の微動に対して、焦点電圧から検出した基準周波数ｆｍの位相が、１８０°反転する。したがって、焦点整合装置を、前記検出した基準周波数ｆｍに応じて移動させることにより、常に高周波成分が最大になる点、すなわち合焦点で安定する。
　しかしながら、上記従来例では上記ＢＰＦ５０の検出周波数が高い場合に合焦精度は高いが、大きくボケた時に、焦点電圧が非常に小さくなり、合焦引き込み範囲が狭くなり、また、検出周波数が低いと、合焦引き込み範囲は広いが、合焦点近傍での焦点電圧の傾きが小さくなり、合焦精度が悪くなるという欠点がある。
　このような欠点を改善した従来例として、複数のＢＰＦを用いて、検出周波数の高いＢＰＦより生成した焦点電圧が、所定のレベル以上の時、帰還ループを構成し、前記焦点電圧が所定のレベル以下の時は、検出周波数の低いＢＰＦから検出した焦点電圧に含まれる基準周波数ｆｍの位相に基づいて、前記検出周波数の高いＢＰＦ出力が所定のレベル以上になるまで、レンズを移動する方法が、特開昭５９−１３３７８３号公報において提案されている。
　第１１図は、上記従来例の概要を示す図で、検出周波数の低いＢＰＦのピーク出力レベルに基づいた焦点電圧ＶＦ１と、検出周波数の高いＢＰＦに基づいた焦点電圧ＶＦ２のレンズ位置に対する特性を示したものである。ここで、所定の判別レベルＶｒｅｆを設定し、上記焦点電圧ＶＦ２のレベルが、Ｖｒｅｆ以上の時のみ、ＶＦ２を用いて帰還ループを構成し、前記Ｖｒｅｆ未満の時には、ＶＦ１から検出した基準周波数ｆｍの位相に応じて、レンズ位置が合焦点より至近側か、あるいは∞側にあるかを判別して、該判別結果をホールドし、ＶＦ２がＶｒｅｆ以上となるまで開ループでレンズを移動する。これにより、合焦精度と、合焦引き込み範囲を両立させることができる。
　第１０図は、上記従来例の一実施例を示す図で、第１０図と同一機能、同一作用を有するものは同一符号、同一記号で示す。５８は検出周波数の低いＢＰＦ１、５９は検出周波数の高いＢＰＦ２、５５はＢＰＦ２のピーク出力より生成した焦点電圧ＶＦ２と、所定のレベルＶｒｅｆを比較し、ＶＦ２≧Ｖｒｅｆの時例えば「１」を、ＶＦ２＜Ｖｒｅｆの時、例えば「０」を出力するレベル検出回路である。６０はＬＰＦ、６１は±ＶＭなる２値出力を発生、ホールドする正負２値判別回路、６２は、上記レベル検出回路５５の出力が「１」の時ａ側に、また「０」の時ｂ側になるスイッチ回路である。
　いま、大きくボケた状態で、ＶＦ２＜Ｖｒｅｆのとき、レベル検出回路５５は「０」を出力し、スイッチ回路６２は、ｂ側を選択する。従って、ＶＦ１より検出した基準周波数ｆｍの位相に応じて、例えばレンズ位置が、合焦点の至近側であればＶＭを、合焦点の∞側であれば−ＶＭを発生、ホールドし、モータ駆動回路５６に供給し、モータ５７を駆動することによって、レンズを合焦方向に移動させる。合焦点に近づき、ＶＦ２≧Ｖｒｅｆとなると、レベル検出回路５５の出力は「１」となり、スイッチ回路６２はａ側選択する。従って、合焦点近傍では、検出周波数の高いＢＰＦ２の出力により、帰還ループを形成するため、高い合焦精度が得られる。
〔発明が解決しようとする課題〕
　上記従来例により、合焦精度を保ちながら合焦引き込み範囲を広げることができる。しかしながら、被写体固有の周波数スペクトルや、被写界深度を考慮すると、さらに検出周波数の異なるＢＰＦの数を増加させることが必要となる。したがって、回路は大規模となり、高価なものとなる。また、アナログ回路でＢＰＦを構成すると、大容量のＣや、Ｌを必要とし、ＬＳＩ化が困難となり、小型化が難かしい。
　本発明の目的は、性能を劣化させることなく、低価格、小型の自動合焦装置を提供することにある。
〔課題を解決するための手段〕
　上記目的を達成するため、本発明では、撮像素子から得た映像信号のＡ／Ｄ変換器と、上記Ａ／Ｄ変換器の出力信号から所定の周波数を検出する。検出周波数の可変制御できるＢＰＦと、該ＢＰＦの出力信号から、焦点具合に応じて１フィールド毎に出力される焦点電圧を生成する焦点電圧生成回路と、上記焦点電圧レベルに応じて、前記ＢＰＦの検出周波数を変化させる可変手段と、上記焦点電圧が最大となるようレンズを移動する移動手段から構成したものである。
〔作用〕
　上記構成により、合焦具合に応じて、映像信号から最適な周波数成分を検出することができるため、高合焦精度と、広合焦引き込み範囲を確保できると共に、簡単な回路構成で実現できるため、小型，低価格，高性能な自動合焦装置を実現できる。
〔実施例〕
　以下、本発明の実施例を図面を用いて説明する。
　第１図は、本発明の一実施例を示すブロック図である。第１図において、１はレンズ、２は撮像素子、３はカメラ回路である。レンズ１を通過した光は、撮像素子２により電気信号に変換し、カメラ回路３から映像信号として出力される。なお、レンズは、基準周波数ｆｍ（例えば１５Ｈｚ）により、目に見えない程度、光路長が変化するよう微動する。したがって映像信号の高域成分は、上記基準周波数ｆｍにより変調される。上記映像信号は、Ａ／Ｄ変換器４によりディジタル信号に変換され、通過帯域を変化可能なＢＰＦ（バンドパスフィルタ）５により定めた帯域の高周波成分信号としてゲート回路６に入力される。ゲート回路６では、あらかじめ定めた領域の信号を抜き取り、検波回路７により絶対値化した後、積分回路８で積分される。積分回路８は、１フィールド期間毎にリセットされ、１フィールド毎に合焦具合に応じた焦点電圧として出力される。なお、ここでは焦点電圧の生成に積分回路を用いたが、合焦具合に応じた、１フィールド毎に得られる信号であれば、ピーク検出回路であっても何ら差支えない。上記積分回路８の出力信号は、演算・制御回路９に入力され、合焦・非合焦判定、移動方向判定、ＢＰＦ帯域設定などの演算を行ない、上記演算結果に応じた、ＢＰＦ５の帯域設定信号、レンズ移動装置１１の移動信号を出力する。
　次に、演算・制御回路９について、第２図，第３図，第４図により詳しく説明する。
　第２図は、上記演算・制御回路の内部機能を表わすブロック図で、１２は基準周波数ｆｍ検出回路、１３は方向判別回路、１４は合焦判別回路である。方向検出回路１３では、基準周波数ｆｍ検出回路１２により検出されたｆｍ成分の位相から、レンズの移動方向を定める信号を生成し、合焦検出回路１４では、上記ｆｍ成分の振幅から、合焦、非合焦に応じて、レンズの移動、停止を制御する信号を生成する。上記レンズの移動方向を定める信号、および、レンズの移動、停止を制御する信号は、モータ制御回路１５に入力され、該モータ制御回路１５において上記入力された信号に応じて、モータを駆動する信号が出力される。したがって、レンズは焦点電圧が最大となる位置に移動する。１６は焦点電圧と所定のレベルＶｒｅｆを比較し、上記焦点電圧がＶｒｅｆとなった時、ＢＰＦ５の帯域の制御信号をＢＰＦ制御回路１７に供給し、ＢＰＦ５の帯域を切替える。
　ところで、上記ｆｍ検出回路１２と、レベル判定回路１６に入力される焦点電圧は、１フィールド毎に切替わるスイッチ回路１８により振り分けられる。この振り分けの様子を示した図が第３図である。第３図に示すように、焦点電圧は、基準周波数ｆｍの変調成分の多いフィールドと、少ないフィールドがあり、前者をＶＦＭ、後者をＶＦＬとするとスイッチ回路１８にはＶＦＭとＶＦＬがフィールド毎に交互に入力され、ＶＦＭをｆｍ検出回路１２に、ＶＦＬをレベル検出回路１６に入力するようスイッチ回路１８の切替タイミングを設定する。また、ＢＰＦ５の検出周波数もフィールド毎に切替え、ＶＦＭ期間の帯域を、低い検出周波数に、ＶＦＬ期間の帯域を高い検出周波数に設定する。ここで、ＶＦＬ≧Ｖｒｅｆとなると、ＶＦＬ期間に選択していた帯域を、ＶＦＭ期間の帯域に、ＶＦＬ期間には、さらに高い周波数を検出する帯域になるよう設定する。この切替の様子を示した図が第４図である。第４図において、ＢＰＦ５の検出周波数帯域は、検出周波数の低い順に帯域１，帯域２，帯域３で示し、それぞれの帯域のＢＰＦ出力から生成した焦点電圧をＶＦ１，ＶＦ２，ＶＦ３で示してある。
すなわち、大きくボケた所では、ＶＦ１に基づいて動作し、合焦点に近づくに従い、ＶＦ２，ＶＦ３と動作する焦点電圧が切替わる。
　なお、上記ＢＰＦ５の一例を第５図に示す。本図は、ＩＩＲデジタルフィルタの一例を示す図で１９は入力端子、２０，２１は加算器、２２，２３，２４，２５，２６は、あらかじめ定めた係数を乗じる乗算器、２７はＴ時間の遅延素子である。本フィルタは係数を変えることにより、通過周波数を変化させることができるＢＰＦを容易に実現できる。
　以上、本実施例によれば、高い合焦精度と広い合焦引き込み範囲が得られる自動合焦装置を、簡単な構成で実現できる。
　第６図に、本発明の他の実施例を示す。本実施例の第１の実施例との相違点は、ＢＰＦ５の帯域を切替えた時、焦点電圧がレンズの移動に対して不連続となった場合にも良好なオートフォーカス動作ができよう、焦点電圧の正規化回路２９を挿入した点で、その他は何ら変わりがないので詳細な説明は省略する。
　第６図において、正規化回路２９は、レベル判定回路１６の判定結果が、ＶＦ２＜Ｖｒｅｆの時はＶＦＭをそのままｆｍ検出回路１２に出力し、ＶＦ２≧Ｖｒｅｆの時は、ＶＦ２≧Ｖｒｅｆとなった時点におけるＶＦ２のレベルｂと、その１フィールド前のＶＦｌのレベルａからａ／ｂを算出し、ＶＦ２≧Ｖｒｅｆとなった次のフィールドから、
をｆｍ検出回路１２に供給する。さらに、ＶＦ３≧Ｖｒｅｆとなった時には、ＶＦ３≧Ｖｒｅｆとなった時点のＶＦＬレベルｄと、その１フィールド前のＶＦＭレベルｃからｃ／ｄを算出し、前記ＶＦ３≧Ｖｒｅｆとなった次のフィールドから、
をｆｍ検出回路１２に供給する。したがって、ｆｍ検出回路１２の入力端では、ＢＰＦ５の帯域切替時においても焦点電圧が不連続とならず、良好なオートフォーカス性能が得られる。
　なお、上記実施例では、ＶＦ１のレベルにＶＦ２，ＶＦ３のレベルを合わせるよう構成したが、ＶＦ３のレベルに、ＶＦ２，ＶＦ１のレベルを合わせるよう構成しても何ら差支えない。
〔発明の効果〕
　以上説明したように、本発明によれば、高域成分抽出用ＢＰＦの通過帯域を、合焦具合に応じて変えることができるので、高い合焦精度と、広い引き込み範囲を合わせ持つ、高性能な自動合焦動作が得られる効果がある。また、高城成分抽出用ＢＰＦをデジタル回路にて構成しているため、ＬＳＩ化が容易で、小型，低価格，高性能な自動合焦装置を実現できる。
【図面の簡単な説明】
第１図は本発明の一実施例を示すブロック図、第２図は、第１図の演算・制御回路の機能ブロック図、第３図及び第４図は、第１図及び第２図の実施例の動作を説明するための図、第５図は、第１図のＢＰＦの一具体回路例を示す図、第６図は、他の実施例を示すブロック図、第７図は、第６図の実施例の動作を説明するための図、第８図は一従来例を示すブロック図、第９図は、第８図の従来例の動作を説明するための図、第１０図は、他の従来例を示す図、第１１図は、第１０図の従来例の動作の概要を示す図である。
４……Ａ／Ｄ変換器、
５……ＢＰＦ、
９……演算・制御回路、
１２……基準周波数ｆｍ検出回路、
１６……レベル検出回路、
１８……スイッチ回路。